(57)【特許請求の範囲】
【請求項１】
画像処理を行う画像処理部と、動画データを予め格納する格納部と、動画データを表示部に再生させる再生部と、画像処理部と格納部と再生部を制御する制御部とを備え、画像処理部は画像処理するための原稿を読み取る読み取り部を備え、制御部は原稿読み取り動作中に動画データを所定の初期速度で再生させ、読み取り部の読み取り動作に伴って原稿枚数を自動的に計数し、計数した枚数に基づいて画像処理部の画像処理時間が動画データの再生時間に一致するように動画データの再生速度を再設定する画像処理装置。
【請求項２】
画像処理部が割り込み処理を受け入れる機能を有し、前記画像処理時間が割り込み処理時間を含む請求項１記載の画像処理装置。
【請求項３】
動画データが複数の区分に分割され、制御部は区分数により再生長さを設定する請求項１または２記載の画像処理装置。
【請求項４】
割り込み処理は、進行中の画像処理を中断して行なわれる別の処理である請求項２記載の画像処理装置。
【請求項５】
画像処理は、原稿を読み取る処理と、印刷および送信の少なくとも一方を行う処理とからなる請求項１から４いずれか１項記載の画像処理装置。
【請求項６】
制御部は、再生速度を複数の異なる速度に設定する請求項１から５いずれか１項記載の画像処理装置。
【請求項７】
動画データは、広告画像および画像処理装置の説明画像の少なくとも一方を表示するデータである請求項１から６いずれか１項記載の画像処理装置。
【請求項８】
画像処理部と格納部と再生部と制御部が画像形成装置を構成する請求項１から７いずれか１項記載の画像処理装置。
【請求項９】
コンビニエンスストアに設置される請求項１から８いずれか１項記載の画像処理装置。
【請求項１０】
画像処理を行う画像処理工程と、動画データを予め格納する格納工程と、動画データを表示部に再生させる再生工程とを備え、画像処理工程は画像処理するための原稿を読み取る読み取り工程を備え、画像処理工程の原稿読み取り動作中に動画データを所定の初期速度で再生させ、原稿の読み取り動作に伴って原稿枚数を自動的に計数し、計数した枚数に基づいて、画像処理時間が動画データの再生時間に一致するように動画データの再生速度を再設定する画像処理装置の制御方法。
【発明の詳細な説明】
【技術分野】
【０００１】
この発明は、画像処理装置とその制御方法に関し、詳しくは、画像処理時間に対応して動画データを再生する画像処理装置とその制御方法に関する。
【背景技術】
【０００２】
複写の開始を指示すると、その開始指示から複写が終了するまでの間、ネットワーク上に接続された広告データ配信装置からの広告情報を表示する画像形成装置が知られている（例えば、特許文献１参照）。
【０００３】
【特許文献１】特開２００４−１８５０９９号公報
【発明の開示】
【発明が解決しようとする課題】
【０００４】
このような機能を有する従来の画像形成装置において、広告情報が静止画であれば、広告情報の表示画面から画像形成装置の基本設定画面などにいつ切り替えても画像が不自然になることはない。
しかし、広告情報が動画であるときには、動画を区切りのよいところで基本設定画面などに切り替えなければ画像が不自然になり、観察者に違和感を与えるという問題がある。
【０００５】
この発明は、このような事情を考慮してなされたものであり、動画データと基本設定画面などとを違和感なく切り替えることが可能な画像処理装置を提供するものである。
【課題を解決するための手段】
【０００６】
この発明は、画像処理を行う画像処理部と、動画データを予め格納する格納部と、動画データを表示部に再生させる再生部と、画像処理部と格納部と再生部を制御する制御部とを備え、制御部は、再生部が画像処理部の画像処理時間に対応して動画データを再生するように、動画データの再生長さと再生速度を設定する画像処理装置を提供するものである。
【発明の効果】
【０００７】
この発明によれば、画像処理の終了時間に動画データの再生の終了時間を対応させることができ、観察者に違和感を与えることがない。
具体的には、原稿の読み取り開始から画像処理装置による画像データの印刷または画像データの送信処理終了まで、表示部に広告画像や画像処理装置の説明画像等の動画データが再生される。すなわち、印刷または送信処理の終了時刻と、動画データの再生の終了時刻とを一致させることができる。
それは、印刷または送信処理の終了時間を予測することによって、その終了時間に対応して再生長さと再生速度が設定されることにより行われる。
従って、動画データの提供者の所望するアピールポイントを画像処理装置の利用者に閲覧させることができる。
【発明を実施するための最良の形態】
【０００８】
この発明による画像処理装置は、画像処理を行う画像処理部と、動画データを予め格納する格納部と、動画データを表示部に再生させる再生部と、画像処理部と格納部と再生部を制御する制御部とを備え、制御部は、再生部が画像処理部の画像処理時間に対応して動画データを再生するように、動画データの再生長さと再生速度を設定することを特徴とする。
【０００９】
この発明による画像処理装置は、記録媒体に画像を複写または印刷したり、画像データを送受信する装置を含む。例えば、画像処理装置としては、画像形成装置（電子写真複写機）、レーザプリンタ、ファクシミリ装置、またはこれらを１つにまとめたデジタル複合機などが挙げられる。
【００１０】
画像処理部は、例えば、原稿データや動画データを送受信する通信部と、原稿を順次搬送し読み取る原稿搬送読み取り部と、用紙に画像を形成する画像形成部と、用紙を画像形成部へ給紙する給紙部と、用紙を排出して重ねたり、排出した用紙にパンチング処理やステープル処理を施す排紙処理部とを備える。
【００１１】
格納部は、第１格納部と第２格納部を備え、第１格納部には、動画データが格納され、第２格納部には、静止画データが格納されてもよい。例えば、格納部は、ＣＤ（Compact Disc）、ＤＶＤ（Digital Versatile Disc）、ＳＤメモリーカードなどの持ち運び可能なメモリーの読出し装置や、画像処理装置内臓のＲＡＭ（Random Access Memory）、ＨＤＤ（Hard Disc Drive）などのメモリー装置も含む。
【００１２】
表示部は、静止画および動画を表示可能なデバイスのことであり、例えば、液晶ディスプレイ、有機ＥＬディスプレイ、およびブラウン管などが挙げられる。
【００１３】
再生部は、動画データを格納部から読み出して表示部に再生させる機能を有し、圧縮された動画データを解凍し再生する処理なども行うことができる。
【００１４】
制御部は、上述の画像処理部と、格納部と、表示部と、再生部とを統合的に制御するマイクロコンピュータで構成できる。そのマイクロコンピュータは、演算処理を行うＣＰＵ（Central Processing Unit）と、ＣＰＵが実行する制御プログラムを格納したＲＯＭ（Read Only Memory）と、ＣＰＵにワークエリアを提供するＲＡＭと、上述の各部との間で信号の入出力を行うＩ/Ｏポートと、上述の各部のモータや表示パネルなどを駆動するドライバ回路などを備えることが好ましい。
【００１５】
この発明による画像処理装置において、画像処理部が割り込み処理を受け入れる機能を有し、前記画像処理時間が割り込み処理時間を含むことが好ましい。
このような構成によれば、画像処理時間が割り込み処理時間を含むので、画像処理の終了時間に動画データの再生の終了時間を対応させることができ、割り込みがあっても動画データを観察者に違和感なく提供できる。
【００１６】
また、この発明による画像処理装置において、動画データが複数の区分に分割され、制御部は区分数により再生長さを設定し、所定速度以下になるように再生速度を設定することが好ましい。
このような構成によれば、動画データが複数の区分に分割されるので、動画データの再生を区切りのよい位置で終了させることができる。
また、再生速度が所定速度以下になるような区分数の動画データが再生されるので、観察者にとって認識可能な最高再生速度以下の再生速度によって動画データを再生させることができる。
【００１７】
この発明による画像処理装置において、割り込み処理とは、進行中の画像処理を中断して行なわれる別の処理であってもよい。
【００１８】
この発明による画像処理装置において、画像処理は、原稿を読み取る処理と、印刷および送信の少なくとも一方を行う処理であってもよい。
【００１９】
この発明による画像処理装置において、制御部は、再生速度を複数の異なる速度に設定することができる。
【００２０】
この発明による画像処理装置において、動画データは、広告画像および画像処理装置の説明画像の少なくとも一方を表示するデータであってもよい。
【００２１】
この発明による画像処理装置は、画像処理部と格納部と再生部と制御部が画像形成装置を構成してもよい。
【００２２】
この発明による画像処理装置は、コンビニエンスストアに設置されることが好ましい。
【００２３】
この発明は別の観点から、画像処理を行う画像処理工程と、動画データを予め格納する格納工程と、動画データを表示部に再生させる再生工程とを備え、再生工程が画像処理工程の画像処理時間に対応して動画データを再生するように、動画データの再生長さと再生速度を設定する画像処理装置の制御方法を提供するものである。
【００２４】
以下、図面に示す実施形態に基づいてこの発明を説明する。この発明はこれに限定されるものではない。なお、図面において共通する構成要素には同じ符号を付けている。
【００２５】
＜デジタル複合機の構成と動作＞
図１はこの発明の画像処理装置の実施形態としてのデジタル
複合機の構成を示す説明図であり、図２はその概観を示す斜視図であり、図３はその構成を示すブロック図である。
【００２６】
この実施形態のデジタル複合機では、原稿の画像を読み取って用紙に印刷する複写モード、原稿の画像を送受信するファクシミリモードを選択的に行うことができる。
【００２７】
図１、図２に示すように、デジタル複合機１は、原稿搬送読み取り部２と、画像形成部３と、給紙部４と、排紙処理部５を備える。
また、図３に示すように、デジタル複合機１では、制御部８０が、格納部８６と、操作部７と、画像処理部１０と、再生部８９とを制御するようになっている。
【００２８】
制御部８０は、格納部８６と、操作部７と、画像処理部１０と、再生部８９とを統合的に制御するマイクロコンピュータを備える。そのマイクロコンピュータは、演算処理を行うＣＰＵ８１と、ＣＰＵが実行する制御プログラムを格納したＲＯＭ８２と、ＣＰＵ８１にワークエリアを提供するＲＡＭ８３と、上述の各部との間で信号の入出力を行うＩ/Ｏポート８４と、上述の各部のモータや表示パネルなどを駆動するドライバ回路８５などを備える。
【００２９】
格納部８６は、第１格納部８６aと第２格納部８６bを備え、第１格納部８６aには、動画データが格納され、第２格納部８６bには静止画データが格納される。
【００３０】
操作部７は、図２、図３に示すように、表示部７aと入力部７bを備え、表示部７aは、タッチパネル機能を備えており、入力部７bは、ボタンやテンキーを備えている。
【００３１】
ここで、表示部７aは、デジタル複合機１の電源ＯＮ後に表示される基本設定画面９０（図４（a））や、広告データやデジタル複合機１の説明などの動画９７（図４（b））を表示する。
そして、基本設定画面９０は、図４（a）に示すように複写条件キーとしてモード選択キー９１と、用紙サイズ設定キー９２と、倍率設定キー９３と、両面印刷設定キー９４とを備えている。
【００３２】
また、入力部７b（図２）は、スタートキー、ファックス送信先番号と複写枚数とを入力するためのテンキーで構成されている。
【００３３】
画像処理部１０は、図２、図３に示すように、電話回線を介して原稿データや動画データを送受信する通信部８８と、原稿を順次搬送し読み取る原稿搬送読み取り部２と、用紙に画像を形成する画像形成部３と、用紙を画像形成部へ給紙する給紙部４と、用紙を排出して重ねたり、排出した用紙にパンチング処理やステープル処理を施す排紙処理部５とを備える。
【００３４】
再生部８９は、動画データを第１格納部８６aから読み出して表示部７aに動画９７として再生させる機能を有し、圧縮された動画データを解凍し再生する処理なども行うことができる。
【００３５】
＜複写モード＞
まず、複写モードが選択された場合、図１に示すように、原稿搬送読み取り部２で、原稿が原稿セットトレイ１１上に載置されると、原稿検知センサー１２は原稿がセットされたことを検出する。表示部７aには基本設定画面９０（図４(a)）が表示され、操作パネル７の表示部７a（図２）および入力部７bによって複写条件が入力設定される。
【００３６】
複写条件が入力されて、スタートキーによって複写開始が指示され、原稿の読み取りが開始される。それと同時に動画９７（図４（b））の表示が開始される。そして、原稿がピックアップローラ１３により順次送り出され、サバキ板１４と搬送ローラ１５との間を通ってプラテンガラス１６上を搬送され、原稿排出トレイ１７へと排出される。
【００３７】
このとき、第１読み取り部２１によって原稿の表面（下側面）の画像が次のようにして読み取られる。第１読み取り部２１の第１走査ユニット２３および第２走査ユニット２４はそれぞれホームポジションに移動する。そして、第１読み取り部２１において原稿がプラテンガラス１６上に搬送されてくると、図示しないセンサーにより原稿が検出される。その検出タイミングに合わせて、第１走査ユニット２３の露光ランプを発光させ、原稿の表面をプラテンガラス１６を介して照射する。なお、上記センサーにより原稿枚数も計数される。
【００３８】
原稿の表面から反射した反射光は、第１および第２走査ユニット２３,２４の反射ミラーにより光路変換されて結像レンズ２６へ導かれ、集光されてＣＣＤ（Charge  Coupled  Device）２７に結像され原稿の画像データが読み取られる。
【００３９】
また、原稿の裏面（上側面）の画像データは、第２読み取り部２２によって読み取られる。第２読み取り部２２は、プラテンガラス１６の上方に配置されている。
第２読み取り部２２は、原稿の裏面を照射する露光ランプ（ＬＥＤアレイ、蛍光灯など）と、画素毎に原稿の反射光を集光するセルフォックレンズアレイと、セルフォックレンズアレイを通じて受光した原稿の反射光を光電変換してアナログの画像信号を出力する密着イメージセンサー（CIS；Contact Image Sensor）などから構成されている。
【００４０】
このようにして、原稿の片面もしくは両面が読み取られると、読み取られた画像データが第２格納部８６b（図３）に入力される。
入力された画像データは、制御部８０において各種の画像処理が施され、画像処理された画像データは、画像形成部３へと出力される。
【００４１】
画像形成部３（図１）は、画像データに対応する画像を用紙に印刷するものであって、感光体ドラム３１と、帯電装置３２と、レーザスキャンユニット３３と、現像装置３４と、転写装置３５と、クリーニング装置３６と、除電装置（図示せず）と、定着装置３７などから構成されている。
【００４２】
また、画像形成部３には、主搬送路３８および反転搬送路３９が設けられており、給紙部４から給紙された用紙は主搬送路３８に沿って搬送される。
給紙部４は、用紙カセット４１に収納された用紙または手差トレイ４２に載置された用紙を１枚ずつ繰り出して画像形成部３の主搬送路３８へと送り出す。
【００４３】
画像形成部３の主搬送路３８に沿って用紙が搬送され感光体ドラム３１と転写装置３５との間を通過し、さらに定着装置３７を通過することにより以下のようにして用紙に対する印刷が行われる。
感光体ドラム３１は、一方向に回転しており、その表面はクリーニング装置３６によってクリーニングされ除電装置により除電された後、帯電装置３２によって均一に帯電される。
【００４４】
レーザスキャンユニット３３は、原稿搬送読み取り部２で読み取られた画像データに基づいてレーザ光を変調し、このレーザ光によって感光体ドラム３１の表面を主走査方向に繰り返し走査することにより、感光体ドラム３１の表面に静電潜像を形成する。
【００４５】
現像装置３４は、トナーを感光体ドラム３１表面に供給して静
電潜像を現像し、トナー像を感光体ドラム３１表面に形成する。
転写装置３５は、転写装置３５と感光体ドラム３１との間を通過していく用紙に感光体ドラム３１の表面に形成されたトナー像を転写する。
定着装置３７は用紙を加熱および加圧して、用紙上の未定着トナー像を溶融させて定着させる。
【００４６】
主搬送路３８と反転搬送路３９の接続箇所には、分岐爪４３が設けられている。用紙の片面だけに印刷が行われる場合は、分岐爪４３が図１に示される位置に位置決めされ、この分岐爪４３により定着装置３７を通り抜けた用紙は排紙トレイ４４または排紙処理部５の方へと導かれる。
【００４７】
一方、用紙の両面に印刷が行われる場合は、片面の印刷が済んだ用紙を反転搬送路３９へ導くように分岐爪４３が回動する。反転搬送路３９へ導かれた用紙は、反転搬送路３９の途中でスイッチバックされることにより表裏が反転されて再び主搬送路３８へ搬送される。
主搬送路３８へ搬送された用紙は、転写および定着工程を経て裏面に印刷がなされ、再び回動して元の位置に戻った分岐爪４３により、排紙トレイ４４または排紙処理部５の方へと導かれる。
【００４８】
このようにして印刷された用紙は、排紙トレイ４４または排紙処理部５の方へと導かれて、排紙トレイ４４に排出されるか、あるいは、排紙処理部５に備えられた複数の排紙トレイ５ａのいずれかに排出される。
【００４９】
排紙処理部５では、複数の用紙を各排紙トレイ５ａに仕分けして排出したり、各用紙にパンチング処理を施したり、各用紙にステープル処理を施す。
例えば、複数部の印刷物を作成する場合は、各排紙トレイ５ａに印刷物の一部の印刷物が割り当てられるように、用紙が各排紙トレイ５ａに仕分けして排出され、排紙トレイ５ａ毎に、排紙トレイ５ａ上の各用紙にパンチング処理やステープル処理などの後処理が施され、印刷物が作成される。
そして、後処理が終了すると同時に表示部７a（図２）の動画９７（図４（b））の再生が終了し、基本設定画面９０（図４（a））の表示へと戻る。
【００５０】
＜ファクシミリモード＞
次に、ファクシミリモードの送信が選択された場合、図１に示す原稿搬送読み取り部２で、原稿の読み取り面を下向きにして原稿が原稿セットトレイ１１上に載置される。原稿検知センサー１２は原稿がセットされたことを検出する。その後、操作パネル７の表示部７aおよび入力部７bによって、ファックス送信条件やファックス送信先がそれぞれ入力される。
【００５１】
次に、スタートキーによって送信開始が指示され、原稿の読み取りが開始される。それと同時に動画９７（図４（b））の表示が開始される。そして、原稿がピックアップローラ１３により順次送り出され、サバキ板１４と搬送ローラ１５との間を通ってプラテンガラス１６上を搬送され、原稿排出トレイ１７へと排出される。
【００５２】
このとき、第１読み取り部２１によって原稿の表面（下側面）の画像が前述のようにして読み取られる。
原稿が読み取られると、読み取られた画像データが第２格納部８６b（図３）に入力される。
その後、通信部８８によって電話回線を介して、その画像データが、ファックス送信先へと送信される。
そして、送信処理が終了すると同時に表示部７a（図２）の動画９７（図４（b））の再生が終了し、基本設定画面９０（図４（a））の表示へと戻る。
【００５３】
次に、通信部８８（図３）がファックスの受信を検出すると、受信した画像データは、第２格納部８６bに入力される。入力された画像データに基づいて前述の画像形成部３（図１）によって画像が用紙に形成されて、排紙トレイ４４または排紙処理部５に排出される。
【００５４】
＜動画の表示処理＞
次に、デジタル複合機１（図１）の画像表示処理を説明する。前述のように、操作パネル７（図２）の表示部７aは、図４（a）に示す基本設定画面９０を表示するとともに図４（b）に示す動画９７を表示する画面である。
【００５５】
動画９７の動画データは、広告依頼主やデジタル複合機１（図１）の販売主からネットワークを介して取得される。
取得した動画データは、デジタル複合機１の通信部８８（図３）を介して第１格納部８６aへと格納される。
【００５６】
また、その動画データは、デジタル複合機１（図１）のメンテナンスを行うサービスマンや、デジタル複合機１の設置場所の管理権限を有するものなどによって予め格納されてもよい。
【００５７】
そして、複写モードまたはファクシミリモードにおいて、原稿の読み取りが開始されると、格納された動画データが制御部８０（図３）によって第１格納部８６aから読み出され、動画９７（図４(b)）として表示部７aに表示（再生）される。
【００５８】
＜複写モード時における動画の表示処理＞
図５と図６と図７を用いて、複写モード時における動画の画像表示処理を詳細に説明する。
【００５９】
図５に示すように、電源がＯＮされて原稿が原稿セットトレイ１１（図１）にセットされる（ステップＳ１０１）。次に、表示部７a（図２）に基本設定画面９０（図４（a））が表示される（ステップＳ１０２）。
【００６０】
次に、基本設定画面９０内の複写条件設定キー９１〜９４のいずれかがＯＮされると（ステップＳ１０３）、表示部７a（図２）に対応する図示しない複写条件設定画面（複写条件設定終了キーを含む）が表示される（ステップＳ１０４）。
【００６１】
次に、複写条件設定画面の複写条件設定終了キーがＯＮされず（ステップＳ１０５）、複写条件設定キーがＯＮされると（ステップＳ１０６）、ＯＮされた複写条件設定キーに応じて複写条件設定処理が実行され（ステップＳ１０７）、ルーチンはステップＳ１０４に戻る。なお、ステップＳ１０５においてＹＥＳが選択されると、ルーチンはステップＳ１０２に戻る。
また、ステップＳ１０６において、ＮＯが選択されると、ルーチンはステップＳ１０５に戻る。
【００６２】
次に、複写条件設定キーがＯＮされずに、スタートキーがＯＮされると（ステップＳ１０３,Ｓ１０８）、原稿搬送読み取り部２（図１）において、原稿の読み取りが開始される（図５のステップＳ１０９）。なお、原稿の読み取りとは、第１読み取り部２１（図１）および/または第２読み取り部２２によって原稿の画像データが読み取られ、第２格納部８６b（図３）に格納されることである。
【００６３】
原稿の読み取りが開始されると、それと同時に第１格納部８６aから動画データが読み出されて表示部７a（図４(b)）への再生が開始される（図５のステップＳ１０９）。この動画データの再生は、標準再生速度Voにより行なわれる。
【００６４】
そして、原稿の読み取り開始後、所定時間Toが経過すると（ステップＳ１１０）、用紙への印刷処理が開始され（ステップＳ１１１）、やがて、原稿の読み取りが終了するとともに、原稿枚数Nが計数される（ステップＳ１１２）。
【００６５】
次に、原稿の読み取りが終わると、その後の動画データの再生速度V1の算出が次のようにして行われる。
原稿の読み取り時間は原稿枚数Nに比例するので、原稿の読み取り時間はk1・N（k1は定数）である。また、印刷時間も原稿枚数Nに比例するので、印刷時間はk2・N（k2は定数）である。
原稿の読み取り開始から印刷開始までの時間がToであり、印刷時間がk2・Nであるので、原稿の読み取り開始から印刷終了までの時間はTo＋k2・Nとなる。
【００６６】
さらに、原稿の読み取り開始から終了までにk1・N経過しているので、原稿の読み取り終了から印刷終了までの時間T1は、
T1＝(To＋k2・N)−k1・N・・・（１）
により表される（ステップＳ１１３）。
【００６７】
ところで、動画データは、図７(a)に示すように区切りのよい複数のポイントP(1)・・・P(i)・・・P(n)を有する。そのポイントに対応して、動画データは、データ区分D(1)・・・D(i)・・・D(n)を有する。
【００６８】
また、図７(b)に示すように、動画データはその始まりからポイントP(i)までのデータ長をL(i)とし（i＝１〜n）、i＝nのときつまりL(n)を最大値とする。
【００６９】
そして、原稿の読み取り時間がk1・Nであり、再生速度がVoであるから、動画再生開始時刻から原稿の読み取り終了時刻までの再生長さはk1・N・Vo（図７(b)）となる。
【００７０】
動画再生開始から印刷終了までにポイントP(i)までの画像データが再生されるものとすると、ポイントP(i)までに再生すべき残りのデータ長Laは、
La＝L(i)−k1・N・Vo・・・（２）
（ただし、i＝１〜n）により表される（ステップＳ１１４）。
【００７１】
従って、再生速度V1は、式（１）,（２）により、
V1＝La/T1＝（L(i)−k1・N・Vo）/[（To＋k2・N）−k1・N]・・・（３）
（ただし、i＝１〜n）で表される（ステップＳ１１５）。
【００７２】
次に、L(i)を最大値L(ｎ)とする（ステップＳ１１６）。
次に、観察者の認識可能な最高再生速度をVmaxとし、再生速度V1が適正かどうか最高再生速度Vmaxと比較して判断される（ステップＳ１１７）。再生速度V1が、最高再生速度Vmax以上であると、再生速度V1を低くするためにL(n)がL(n-1)に置き換えられる（ステップＳ１１８）。
【００７３】
そして、再生速度V1が、最高再生速度Vmax以下になるまでステップＳ１１６からステップＳ１１８までのルーチンが繰り返される。再生速度V1が最高再生速度Vmax以下になると、ポイントP(i)と再生速度V1が決定される（図６のステップＳ１１９）。
そして、図６に示すように再生速度V1によって動画データが再生され（ステップＳ１２０）。割り込みがない場合には、ルーチンがステップＳ１３１に進み、動画再生および印刷処理が同時に終了する（ステップＳ１３１）。
【００７４】
このようにして、原稿の読み取り開始時刻から原稿の読み取り終了時刻までは、標準再生速度Voで再生され、原稿の読み取り後に再生される残りのデータ長La（図７(b)）は、再生速度V1で再生されることとなる。
【００７５】
一方、図６のステップＳ１２１で割り込みがある場合には、次のように処理される。
ここで割り込みとは、優先度の高い処理が入力部７b（図２）によって入力されたり、画像濃度を自動調整する処理が生じたり、大量の印刷によって定着装置３７（図１）が温度低下したりすることにより、進行中の印刷処理を中断して別の処理を行うことである。
【００７６】
そして、割り込み動作中は、印刷処理が停止され、割り込み動作時間Twが経過すると（ステップＳ１２２）、印刷処理が再開される。
この割り込み動作は、原稿の読み取り中には起こらないものとする。
次に、割り込み動作が終了すると、その後の動画データの再生速度V2の算出が次のように行われる。
【００７７】
原稿の読み取り終了（図５のステップＳ１１２）から割り込み動作の開始までの時間をT2とする。
また、原稿の読み取り開始から印刷開始までの時間がＴoで、印刷開始時刻から印刷終了までの印刷時間がk2・Nで、割り込み動作時間がTwである。従って、原稿の読み取り開始から印刷が終了するまでの時間は、To＋k2・N＋Twにより表される。
そこで、原稿の読み取り開始と同時に動画データの再生が開始され、動画データの再生終了時刻が印刷の終了時刻と一致するためには、動画データの再生時間をTo＋k2・N＋Twに合わせる必要がある。
【００７８】
さらに、原稿の読み取り時間がk1・Nであるので、原稿の読み取り終了から動画データの表示の終了までの時間T3は、
T3＝(To＋k2・N＋Tw)−k1・N・・・（４）
により表される（ステップＳ１２３）。
【００７９】
一方、原稿の読み取り終了から割り込み動作の開始までの時間がT2で、割り込み動作時間がTwであるので、割り込み動作の終了時刻における残りの再生時間は、T3―T2−Twにより表される。
【００８０】
原稿の読み取り終了から割り込み動作終了までの再生速度がV1であり、原稿の読み取り終了から割り込み動作の開始までの時間がT2で、割り込み動作時間がTwであるので、原稿の読み取り終了時刻から割り込み動作終了時刻までの再生長さはV1(T2＋Tw)（図７(c)）となる。
前述のように、動画再生開始から印刷終了までにポイントP(i)までの画像データが再生されるものとすると、図７（c）に示すように、再生すべき残りのデータ長Lbは、
Lb＝L(i)−k1・N・Vo−V1(T2＋Tw)・・・（５）
（ただし、i＝１〜n）により表される（ステップＳ１２４）。
【００８１】
従って、再生速度V2は、
V2＝Lb/（T3―T2−Tw）＝[L(i)−k1・N・Vo−V1(T2＋Tw)]/(To＋k2・N−k1・N-T2)・・・（６）
により表される（ステップＳ１２５）。
【００８２】
次に、ステップＳ１１６と同様にL(i)を最大値L(ｎ)とする（ステップＳ１２６）。
次に、観察者の認識可能な最高再生速度がVmaxであるので、再生速度V2が適正かどうか最高再生速度Vmaxと比較して判断される（ステップＳ１２７）。再生速度V2が、最高再生速度Vmax以上であると、V2を低くするためにL(n)がL(n-1)に置き換えられる（ステップＳ１２８）。
【００８３】
そして、再生速度V2が、最高再生速度Vmax以下になるまでステップＳ１２６からステップＳ１２８までのルーチンが繰り返される。再生速度V2が最高再生速度Vmax以下になると、ポイントP(i)と再生速度V2が決定される（ステップＳ１２９）。
次に、図６に示すように再生速度V2によって動画データが再生され（ステップＳ１３０）、動画再生および印刷処理が同時に終了する（ステップＳ１３１）。
【００８４】
このように、印刷処理時間に対応して動画データが再生されるように、動画データの再生長さと再生速度が適正に設定される。従って、印刷処理の終了時間に対応させて動画データの再生の終了時間を一致することができ、観察者に違和感を与えることがない。
【００８５】
また、上述において、印刷の終了後、所定時間だけ動画データの再生が延長されてもよい。観察者は、読み取った原稿の取り除きおよび印刷が完了した用紙の取り除きなどのために、デジタル複合機１の前にいるので観察者に延長された動画９７のアピールが可能になるからである。
【００８６】
また、動画データの全長が短くて印刷処理の終了を待たずに再生が終了した場合、再び繰り返して再生するようにしてもよい。
【００８７】
そして、デジタル複合機１は、広告効果の点からコンビニエンスストアなどに設置することが好ましい。
【００８８】
＜ファクシミリモード時における画像データ表示＞
図８と図９と図１０を用いて、ファクシミリモード時における画像データ表示の詳細を説明する。
【００８９】
図８に示すように、電源がＯＮされて原稿が原稿セットトレイ１１（図１）にセットされる（ステップＳ２０１）。次に、表示部７a（図２）に基本設定画面９０（図４（a））が表示される（ステップＳ２０２）。
【００９０】
次に、入力部７b（図２）のボタンやテンキーによって、送信先が設定される（ステップＳ２０３）。次に、送信条件、例えば送信する画質が設定される（ステップＳ２０４）。
【００９１】
スタートキーがＯＮされると（ステップＳ２０５）、原稿搬送読み取り部２（図１）において原稿の読み取りが開始される（ステップＳ２０６）。
【００９２】
原稿の読み取りが開始されると、それと同時に第１格納部８６a（図３）から動画データが読み出されて表示部７a（図２）への再生が開始される（図８のステップＳ２０６）。この動画データの再生は、標準再生速度Voにより行なわれる。
【００９３】
そして、読み取られたデータは第２格納部８６b（図３）に格納される（ステップＳ２０７）。原稿の読み取りが終了すると（ステップＳ２０８）、その後、受信側の装置の性能認識や電話回線状況が把握されることで通信速度が決定され、電話回線接続が行われる（ステップＳ２０９）。
【００９４】
次に、接続が完了すると（ステップＳ２１０）、その後の動画データの再生速度V3の算出が次のようにして行われる。
さらに、ファックスの送信完了時刻と動画データの表示完了時刻とを一致させるものとする。
【００９５】
原稿の読み取り時間は原稿枚数Nに比例するので、原稿の読み取り時間はk3・N（k3は定数）である。また、ファックス送信時間も原稿枚数Nに比例するので、送信時間はk4・N（k4は定数）である。
また、原稿の読み取り終了から電話回線接続が完了するまでの時間をT4とすると、原稿の読み取り開始から電話回線接続が完了するまでの時間は、k3・N＋T4により表される。
従って、原稿の読み取り開始から電話回線接続が完了するまでの再生済みのデータ長は、Vo(k3・N＋T4)（図１０(a)）である。
【００９６】
また、図７と同様に動画再生開始から送信終了までにポイントP(i)までの画像データが再生されるものとすると、再生すべき残りのデータ長Lcは、
Lc＝L(i)−Vo(k3・N＋T4)・・・（７）
（ただし、i＝１〜n）により表される（ステップＳ２１１）。
【００９７】
そして、送信時間がk4・Nであるので、送信中の再生速度V3は、式（７）より、
V3＝Lc/k4・N＝｛L(i)−Vo(k3・N＋T4)｝/ k4・N・・・（８）
で表される（ステップＳ２１２）。
【００９８】
次に、L(i)を最大値L(ｎ)とする（ステップＳ２１３）。
次に、観察者の認識可能な最高再生速度がVmaxであるので、再生速度V3が適正かどうか最高再生速度Vmaxと比較して判断される（ステップＳ２１４）。再生速度V3が、最高再生速度Vmax以上であると、V3を低くするためにL(n)がL(n-1)に置き換えられる（ステップＳ２１５）。
【００９９】
そして、再生速度V3が、最高再生速度Vmax以下になるまでステップＳ２１３からステップＳ２１５までのルーチンが繰り返される。再生速度V3が最高再生速度Vmax以下になると、ポイントP(i)と再生速度V3が決定される（図９のステップＳ２１６）。
次に、図９において再生速度がV3に変更される（ステップＳ２１７）。
【０１００】
それと同時に、読み取られた原稿のデータが送信され（ステップＳ２１８）、ステップＳ２１９において送信エラーが発生しない場合（ステップＳ２１９）、送信処理が終了すると、同時に動画データの再生が終了する（ステップＳ２２９）。
【０１０１】
次に、ステップＳ２１９において送信エラーが発生した場合（ステップＳ２１９）、送信速度が低下する（ステップＳ２２０）。
次に、送信速度が低下すると、動画データの再生速度V4の算出が次のようにして行われる。
原稿の送信開始から送信エラーが発生するまでの時間をT5とし、送信エラーが発生してから終了するまでの時間をＴeとすると、原稿の送信開始から送信エラーが終了するまでの時間は、T5＋Teにより表される。
そして、送信時間がk4・Nであり、送信エラーが発生してから終了するまでの時間がＴeであるので、送信時間と送信エラー時間を合わせた時間は、k4・N＋Teとなる。
【０１０２】
従って、送信エラーが終了してから送信処理が終了するまでの時間T6は、
T6＝(k4・N＋Te)−(T5＋Te)＝k4・N−T5・・・（９）
により表される（ステップＳ２２１）。
【０１０３】
原稿の送信開始から送信エラーが終了するまでの時間がT5＋Teであり、再生速度がV3であるから、原稿の送信開始から送信エラーが終了するまでの再生長さは、V3(T5＋Te)（図１０(b)）である。
【０１０４】
図１０（b）に示すように、再生すべき残りのデータ長Ldは、
Ld＝L(i)−Vo(k3・N＋T4)−V3(T5＋Te)・・・（１０）
（ただし、i＝１〜n）により表される（ステップＳ２２２）。
【０１０５】
従って、再生速度V4は、式（９）,（１０）により、
V4＝Ld/T6＝｛L(i)−Vo(k3・N＋T4)−V3(T5＋Te)｝/ (k4・N−T5)・・・（１１）
で表される（ステップＳ２２３）。
【０１０６】
次に、L(i)を最大値L(ｎ)とする（ステップＳ２２４）。
次に、観察者の認識可能な最高再生速度がVmaxであるので、再生速度V4が適正かどうか最高再生速度Vmaxと比較して判断される（ステップＳ２２５）。再生速度V4が、最高再生速度Vmax以上であると、V4を低くするためにL(n)がL(n-1)に置き換えられる（ステップＳ２２６）。
【０１０７】
そして、再生速度V4が、最高再生速度Vmax以下になるまでステップＳ２２４からステップＳ２２６までのルーチンが繰り返される。再生速度V4が最高再生速度Vmax以下になると、ポイントP(i)と再生速度V4が決定される（ステップＳ２２７）。
次に、図９において再生速度V4によって動画データが再生される（ステップＳ２２８）。
【０１０８】
このようにして、原稿の読み取り開始時刻から原稿の読み取り終了時刻までは、標準再生速度Voで再生され、送信開始から送信エラー終了までに再生されるデータ長Lc（図１０(a)）は、再生速度V3で再生され、送信エラー終了から送信処理終了までに再生されるデータ長Ld（図１０(b)）は、再生速度V4で再生されることとなる。
【０１０９】
次に、送信処理が終了すると、同時に動画データの再生が終了する（ステップＳ２２９）。
【０１１０】
このように、送信処理時間に対応して動画データが再生されるように、動画データの再生長さと再生速度が適正に設定される。従って、送信処理の終了時間に対応させて動画データの再生の終了時間を一致することができ、観察者に違和感を与えることがない。
【０１１１】
また、上述において、送信処理の終了後、所定の時間だけ動画データの再生が延長されてもよい。観察者は、読み取った原稿の取り除きなどのために、デジタル複合機１（図１）の前にいるので観察者に延長された動画９７（図４(b)）のアピールが可能になるからである。
【０１１２】
また、動画データの全長が短くて送信処理の終了を待たずに再生が終了した場合、再び繰り返して再生するようにしてもよい。
【図面の簡単な説明】
【０１１３】
【図１】この発明の実施形態のデジタル複合機の全体構成を示す説明図である。
【図２】この発明の実施形態のデジタル複合機の概観を示す斜視図である。
【図３】この発明の実施形態のデジタル複合機の構成を示すブロック図である。
【図４】この発明の実施形態のデジタル複合機の表示画像の例を示す説明図である。
【図５】この発明の実施形態のデジタル複合機の複写モード時において制御部が行う一連の制御フローを概略的に示したフローチャート図である。
【図６】この発明の実施形態のデジタル複合機の複写モード時において制御部が行う一連の制御フローを概略的に示したフローチャート図である。
【図７】この発明の実施形態のデジタル複合機の複写モード時において再生すべきデータ長を示す説明図である。
【図８】この発明の実施形態のデジタル複合機のファクシミリモード時において制御部が行う一連の制御フローを概略的に示したフローチャート図である。
【図９】この発明の実施形態のデジタル複合機のファクシミリモード時において制御部が行う一連の制御フローを概略的に示したフローチャート図である。
【図１０】この発明の実施形態のデジタル複合機のファクシミリモード時において再生すべきデータ長を示す説明図である。
【符号の説明】
【０１１４】
１・・・デジタル複合機
２・・・原稿搬送読み取り部
３・・・画像形成部
４・・・給紙部
５・・・排紙処理部
５a・・・複数の排紙トレイ
７・・・操作部
７a・・・表示部
７b・・・入力部
１０・・・画像処理部
１１・・・原稿セットトレイ
１２・・・原稿検知センサー
１３・・・ピックアップローラ
１４・・・サバキ板
１５・・・搬送ローラ
１６・・・プラテンガラス
１７・・・原稿排出トレイ
２１・・・第１読み取り部
２２・・・第２読み取り部
２３・・・第１走査ユニット
２４・・・第２走査ユニット
２６・・・結像レンズ
２７・・・ＣＣＤ
３１・・・感光体ドラム
３２・・・帯電装置
３３・・・レーザスキャンユニット
３４・・・現像装置
３５・・・転写装置
３６・・・クリーニング装置
３７・・・定着装置
３８・・・主搬送路
３９・・・反転搬送路
４１・・・用紙カセット
４２・・・手差トレイ
４３・・・分岐爪
４４・・・排紙トレイ
８０・・・制御部
８１・・・ＣＰＵ
８２・・・ＲＯＭ
８３・・・ＲＡＭ
８４・・・Ｉ/Ｏポート
８５・・・ドライバ回路
８６・・・格納部
８６a・・・第１格納部
８６b・・・第２格納部
８８・・・通信部
８９・・・再生部
９０・・・基本設定画面
９１・・・モード選択キー
９２・・・用紙サイズ設定キー
９３・・・倍率設定キー
９４・・・両面印刷設定キー
９７・・・動画
【図１】
0005011093.tif 000002
【図２】
0005011093.tif 000003
【図３】
0005011093.tif 000004
【図４】
0005011093.tif 000005
【図５】
0005011093.tif 000006
【図６】
0005011093.tif 000007
【図７】
0005011093.tif 000008
【図８】
0005011093.tif 000009
【図９】
0005011093.tif 000010
【図１０】
0005011093.tif 000011